【手続補正書】
【提出日】平成16年4月27日(2004.4.27)
【手続補正１】
【補正対象書類名】明細書
【補正対象項目名】発明の名称
【補正方法】変更
【補正の内容】
【発明の名称】情報提供装置および方法、情報受信装置および方法
【手続補正２】
【補正対象書類名】明細書
【補正対象項目名】特許請求の範囲
【補正方法】変更
【補正の内容】
【特許請求の範囲】
【請求項１】
番組情報を発生する第１の発生手段と、
対応する番組情報を制御する制御情報を含む、番組毎のオブジェクト形式にて構成された番組リスト情報を発生する第２の発生手段と、
前記番組情報と番組リスト情報を多重化して出力する出力手段と
を備えることを特徴とする情報提供装置。
【請求項２】
前記制御情報は、対応する番組情報の画像または音声に関する出力状態を制御する制御情報である
ことを特徴とする請求項１に記載の情報提供装置。
【請求項３】
前記制御情報は、対応する番組情報を処理する情報処理装置を制御する制御情報である
ことを特徴とする請求項１に記載の情報提供装置。
【請求項４】
番組情報を発生する第１の発生ステップと、
対応する番組情報を制御する制御情報を含む、番組毎のオブジェクト形式にて構成された番組リスト情報を発生する第２の発生ステップと、
前記番組情報と番組リスト情報を多重化して出力する出力ステップと
を備えることを特徴とする情報提供方法。
【請求項５】
番組情報と、対応する番組情報を制御する制御情報を含む、番組毎のオブジェクト形式にて構成された番組リスト情報とが多重化された信号から、それぞれを分離する分離手段と、
前記番組リスト情報とメッセージを授受し、前記番組情報の出力状態を制御する制御手段と
を備えることを特徴とする情報受信装置。
【請求項６】
前記制御情報は、対応する番組情報の画像または音声に関する出力状態を制御する制御情報であり、
前記制御手段は、前記番組リスト情報の制御情報に対応して、番組情報の画像または音声に関する出力状態を制御する
ことを特徴とする請求項５に記載の情報受信装置。
【請求項７】
前記制御情報は、対応する番組情報を処理する情報処理装置を制御する制御情報であり、
前記制御手段は、前記番組リスト情報の制御情報に対応して、番組情報を処理する情報処理装置を制御する
ことを特徴とする請求項５に記載の情報受信装置。
【請求項８】
前記番組リスト情報は、同一の番組に対して複数種類存在し、その種類を選択する選択手段をさらに備える
ことを特徴とする請求項５に記載の情報受信装置。
【請求項９】
前記番組リスト情報とメッセージを授受し、イベントを管理する管理手段をさらに備える
ことを特徴とする請求項５に記載の情報受信装置。
【請求項１０】
番組情報と、対応する番組情報を制御する制御情報を含む、番組毎のオブジェクト形式にて構成された番組リスト情報とが多重化された信号から、それぞれを分離する分離ステップと、
前記番組リスト情報とメッセージを授受し、前記番組情報の出力状態を制御する制御ステップと
を備えることを特徴とする情報受信方法。
【手続補正３】
【補正対象書類名】明細書
【補正対象項目名】０００１
【補正方法】変更
【補正の内容】
【０００１】
【発明の属する技術分野】
本発明は、情報提供装置および方法、情報受信装置および方法に関し、特に、番組毎のオブジェクト形式にて構成された番組リスト情報に番組情報を制御する制御情報を含めることにより、より変化に富んだ番組を提供することができるようにした情報提供装置および方法、情報受信装置および方法に関するものである。
【手続補正４】
【補正対象書類名】明細書
【補正対象項目名】０００６
【補正方法】変更
【補正の内容】
【０００６】
本発明の情報提供方法は、番組情報を発生する第１の発生ステップと、対応する番組情報を制御する制御情報を含む、番組毎のオブジェクト形式にて構成された番組リスト情報を発生する第２の発生ステップと、番組情報と番組リスト情報を多重化して出力する出力ステップとを備えることを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の情報受信装置は、番組情報と、対応する番組情報を制御する制御情報を含む、番組毎のオブジェクト形式にて構成された番組リスト情報とが多重化された信号から、それぞれを分離する分離手段と、番組リスト情報とメッセージを授受し、番組情報の出力状態を制御する制御手段とを備えることを特徴とする。
【手続補正７】
【補正対象書類名】明細書
【補正対象項目名】０００９
【補正方法】変更
【補正の内容】
【０００９】
本発明の情報受信方法は、番組情報と、対応する番組情報を制御する制御情報を含む、番組毎のオブジェクト形式にて構成された番組リスト情報とが多重化された信号から、それぞれを分離する分離ステップと、番組リスト情報とメッセージを授受し、番組情報の出力状態を制御する制御ステップとを備えることを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明の情報提供装置および方法においては、番組情報と、番組情報を制御する制御情報を含む、番組毎のオブジェクト形式にて構成された番組リスト情報が多重化して出力される。
【手続補正１０】
【補正対象書類名】明細書
【補正対象項目名】００１２
【補正方法】変更
【補正の内容】
【００１２】
本発明の情報提供装置および方法においては、オブジェクト形式にて構成された番組リスト情報とメッセージを授受し、番組情報の出力状態が制御される。
【手続補正１１】
【補正対象書類名】明細書
【補正対象項目名】００１５
【補正方法】変更
【補正の内容】
【００１５】
請求項５に記載の情報受信装置は、番組情報と、対応する番組情報を制御する制御情報を含む、番組毎のオブジェクト形式にて構成された番組リスト情報とが多重化された信号から、それぞれを分離する分離手段（例えば、図１８のステップＳ２１）と、番組リスト情報とメッセージを授受し、番組情報の出力状態を制御する制御手段（例えば、図２４のステップＳ１１３）とを備えることを特徴とする。
【手続補正１２】
【補正対象書類名】明細書
【補正対象項目名】００１６
【補正方法】変更
【補正の内容】
【００１６】
請求項８に記載の情報受信装置は、番組リスト情報は、同一の番組に対して複数種類存在し、その種類を選択する選択手段（例えば、図２９のステップＳ１５１）をさらに備えることを特徴とする。
【手続補正１３】
【補正対象書類名】明細書
【補正対象項目名】００１７
【補正方法】変更
【補正の内容】
【００１７】
請求項９に記載の情報受信装置は、番組リスト情報とメッセージを授受し、イベントを管理する管理手段（例えば、図２１のイベントマネージャ）をさらに備えることを特徴とする。
【手続補正１４】
【補正対象書類名】明細書
【補正対象項目名】０１１０
【補正方法】変更
【補正の内容】
【０１１０】
【発明の効果】
以上の如く、本発明の情報提供装置および方法によれば、番組情報を制御する制御情報を含む、番組毎のオブジェクト形式にて構成された番組リスト情報を出力するようにしたので、より効果的に、変化に富んだ番組情報を提供することが可能となる。
【手続補正１５】
【補正対象書類名】明細書
【補正対象項目名】０１１１
【補正方法】変更
【補正の内容】
【０１１１】
本発明の情報提供装置および方法によれば、オブジェクト形式にて構成された番組リスト情報に含まれる制御情報に対応して番組情報の出力状態を制御するようにしたので、より効果的に、変化に富んだ番組を楽しむことが可能となる。